(57)【要約】【課題】施工や取扱いが容易で安価に提供され、経時使用による見栄えの悪化をもたらさない引戸敷居が望まれている。【解決手段】引戸敷居１，１Ａ，１Ｂは、引戸案内用の長溝７が形成される中密度木質繊維板２の上面２Ａに、ＡＡＳ樹脂製の化粧板材４が接着剤３で被着された構成となっている。化粧板材４の一辺側は、溝長手方向と直交する水平方向に中密度木質繊維板２の一側面２Ｄから突出した庇部５として形成され、中密度木質繊維板２の他辺側は、溝長手方向と直交する水平方向に化粧板材４の他側面４Ａから突出した庇受け部６として形成されている。そして、引戸敷居１Ｂにおける化粧板材４の他辺側は、中密度木質繊維板２の他側面２Ｃから突出した末端側庇部９として形成されている。【選択図】図２
2009270371.tif 000002
【特許請求の範囲】
【請求項１】
引戸案内用の長溝が形成される中密度木質繊維板の上面に、合成樹脂製の化粧板材を被着したことを特徴とする引戸敷居。
【請求項２】
化粧板材がＡＡＳ樹脂で構成されている請求項１に記載の引戸敷居。
【請求項３】
化粧板材の一辺側が、溝長手方向と直交する水平方向に中密度木質繊維板の一側面から突出した庇部として形成され、中密度木質繊維板の他辺側が溝長手方向と直交する水平方向に化粧板材の他側面から突出した庇受け部として形成されている請求項１または請求項２に記載の引戸敷居。
【請求項４】
請求項３に記載の引戸敷居を備えてなり、一の引戸敷居の庇受け部上に次の引戸敷居の庇部が重ねられるように、複数の引戸敷居が順次並列に並べて配置され、最後の引戸敷居の化粧板材の他辺側に、中密度木質繊維板の他側面から突出した末端側庇部が形成されていることを特徴とする組合せ引戸敷居。
【発明の詳細な説明】
【技術分野】
【０００１】
本発明は、例えばマンションなどで使用される引戸敷居、およびこの引戸敷居を複数並べてなる組合せ引戸敷居に関するものである。
【背景技術】
【０００２】
従来、この種の引戸敷居としては、例えば図５に示したものが知られている。図示の引戸敷居５１Ａは、ラミンなど無垢材である敷居本体５２の表面にポリウレタンやラッカーなどの塗膜５３が施されている。
この引戸敷居５１Ａを製作するにあたっては、図６（ａ）に示すように、まず敷居本体５２の上面および側面に塗膜５３が施された引戸敷居５１が得られる。次に、図６（ｂ）に示すように、引戸敷居５１の上面の塗膜５３および敷居本体５２が切削されて、材長手方向に沿う３本の長溝５４，５４，５４が刻設される。そして、これらの長溝５４，５４，５４内にレール８，８，８が嵌着されて、引戸敷居５１Ａとなる。因みに、前記のように無垢材を敷居本体に用いた引戸敷居は例えば下記の特許文献１に記載されている。
【０００３】
【特許文献１】実開平６−１２６８８号公報
【発明の開示】
【発明が解決しようとする課題】
【０００４】
ところで、ラミンは表面が比較的緻密かつ平坦であって反りや捩れを生じにくい優れた外材として知られているが、近年の過剰な伐採により入手が困難となり高価になっている。そこで、ラミンに替わる無垢材として、メラピーやピサンなど代用外材が使用されつつある。しかしながら、これらはラミンと比べて表面が粗い。その粗い表面に塗装が施されるため、仕上がり外観が芳しくない。すなわち、表面の凸凹に起因して、色が合わないとか、ざらつき感があるなど、顧客からの苦情がでることがあった。また、これらの代用外材は乾燥処理がなされているにも拘わらず、再び水分を吸って大きな反りや捩れを生じやすい。そのため、表面に施された塗膜に割れやプロペラ状の剥離を生じて見苦しくなるという問題もあった。その結果、塗装品を使用しないでほしいという注文が顧客から出ていた。
一方で、３〜４ｍと長尺であって３本以上の長溝が形成される幅広の無垢材を用いた引戸敷居の場合、このように長大な無垢材は入手が容易でなく、無論、高価である。また、無垢材を用いた引戸敷居を使用する場合、たとえ１箇所にキズが付いても、敷居全体を取り替えなければならず取り扱いに細心の注意を払う必要があった。
【０００５】
本発明は、上記した従来の問題点に鑑みてなされたものであって、施工や取扱いが容易で安価に提供され、経時使用による見栄えの悪化をもたらさない引戸敷居および組合せ引戸敷居の提供を目的とする。
【課題を解決するための手段】
【０００６】
上記目的を達成するために、本発明に係る引戸敷居は、引戸案内用の長溝が形成される中密度木質繊維板の上面に、合成樹脂製の化粧板材を被着した構成にしてある。
【０００７】
また、前記構成において、化粧板材がＡＡＳ樹脂で構成されているものである。
【０００８】
そして、前記した各構成において、化粧板材の一辺側が、溝長手方向と直交する水平方向に中密度木質繊維板の一側面から突出した庇部として形成され、中密度木質繊維板の他辺側が溝長手方向と直交する水平方向に化粧板材の他側面から突出した庇受け部として形成されているものである。
【０００９】
更に、本発明に係る組合せ引戸敷居によれば、請求項３に記載の引戸敷居を備えてなり、一の引戸敷居の庇受け部上に次の引戸敷居の庇部が重ねられるように、複数の引戸敷居が順次並列に並べて配置され、最後の引戸敷居の化粧板材の他辺側に、中密度木質繊維板の他側面から突出した末端側庇部が形成されているものである。
【００１０】
本発明に係る中密度木質繊維板（Medium Density Fiberboard：以下、ＭＤＦと略称することがある。）としては、木質系材料を高温高圧下で分解して得た木質繊維を接着剤と混ぜ合わせ、加熱加圧して板状体に成形して得られるものであって、その密度が１立方メートル当り３５０ｋｇ以上８００ｋｇ未満で、耐水性が高いものであれば、特に限定されない。具体的には、エヌ・アンド・イー社製の商品：ＮＥＯボードＫＨＭ、ホクシン社製の商品：スターウッドＳＬＭ１、ノダ社製の商品：ハイベストウッドＬＭなどが挙げられる。
【００１１】
ＭＤＦの耐水性の高める技術としては特に限定されないが、例えば汎用のＭＤＦに対し、不活性ガス（例えば窒素ガス）雰囲気下、温度１６５〜１７５℃で２時間ほど高温処理を施す方法が挙げられる。これにより、木質繊維中の水酸基が除去されてＭＤＦの吸水性が低下し吸水による膨潤が抑制される。または、ＭＤＦ原料に用いられる接着剤として、レゾ−ル型フェノ−ル樹脂、硬化促進剤および親水性かつ親油性を有する溶媒を含むものを使用してＭＤＦを成形する方法もある。あるいは、合成樹脂液を入れた減圧釜の中に汎用のＭＤＦを収容し、減圧釜を減圧にしてＭＤＦに合成樹脂を含浸させるという減圧含浸法を適用することによって、ＭＤＦに耐水性を持たせることも可能である。更には、接着剤および防水剤となるワックスエマルジョンにフッ素系界面活性剤を添加したものを木質繊維に塗布した後、加熱加圧成形してＭＤＦを得る方法によっても、ＭＤＦに耐水性を持たせることができる。
【００１２】
本発明に用いる化粧板材の材質としては、機械強度および耐久性が高いものであれば特に限定されないが、例えばＡＢＳ、ＡＡＳ、ＡＣＳ、ＡＥＳなどのＡＸＳ樹脂（Ｘはゴム成分）を用いると、機械強度および耐久性が特に高く、接触感も良好である。なかでも、アクリルゴムにアクリロニトロルとスチレンをグラフト重合化させて得たターポリマーであるＡＡＳ樹脂を用いると、耐候性が高いことから、経年使用によってもほとんど変色せず、高級感を長期間損なわない。また、各種の着色が可能であり、成形性がよいので美しい外観の成形品が得られる。このようなＡＡＳ樹脂としては、具体的に、ＢＡＳＦジャパン社製の商品：ルランＳ、日立化成工業社製の商品：バイタックス、三菱レーヨン社製の商品：ダイヤラックなどが挙げられる。
【００１３】
本発明においてＭＤＦの上面に化粧板材を被着する手段は特に限定されないが、例えば接着剤を用いると、外観がシンプルで見栄えがよくなる。接着剤としてはＭＤＦと合成樹脂を強固に接着できるものであれば特に限定されず、例えばホットメルト型の接着剤を用いると、衣服や体を著しく汚すことなく作業を楽に行なうことができる。ホットメルト型の接着剤としては、具体的にポリウレタン系湿気硬化型ホットメルト接着剤（コニシ社製の商品：ＫＵＭ３１５０やＫＵＭ４２００）などが挙げられる。
【００１４】
また、本発明において、ＭＤＦの他辺側を切除する手段としては、切断、切削用の木工機具であれば特に限定されないが、例えば丸鋸を使用することができる。
【発明の効果】
【００１５】
本発明に係る引戸敷居において、使用されるＭＤＦは入手が容易、安価であり寸法安定性に優れている。そして、このＭＤＦの上面に被着された合成樹脂製の化粧板材は安定して美観を呈する。これにより、塗装時の取扱いが厄介で且つ経時劣化により見苦しくなる塗膜を必要としない。従って、この引戸敷居は経時使用によって見栄えを損なうことがなく、入手容易で安価に提供されることから施工や取扱いが容易になるという効果がある。
【００１６】
また、化粧板材がＡＡＳ樹脂で構成されているものでは、化粧板材の耐候性が高いから長年の経時使用によっても見た目が悪くならず高級感を長期間保持することができる。
【００１７】
そして、化粧板材の一辺側が中密度木質繊維板の一側面から突出した庇部として形成され、中密度木質繊維板の他辺側が化粧板材の他側面から突出した庇受け部として形成されているものでは、一の引戸敷居の庇受け部に、別の引戸敷居の庇部を重ね合わせて並べることができる。従って、個々の引戸敷居の上面に長溝を形成することにより、複数本の長溝を有する引戸敷居を提供することができる。
【００１８】
更に、本発明に係る組合せ引戸敷居によれば、一の引戸敷居の庇受け部に次の引戸敷居の庇部が重ね合わせられるように、複数の引戸敷居が順次並列に並べて配置され、最後の引戸敷居の化粧板材の他辺側に、中密度木質繊維板の他側面から突出した末端側庇部が形成されているので、それぞれの引戸敷居に長溝を形成することにより、複数本の長溝を有する引戸敷居を提供することができる。これにより、組合せ引戸敷居の施工時や取扱い時にいずれかの引戸敷居にキズが付いたとしても、敷居全体を取り替える必要はなく、キズの付いた引戸敷居のみを取り替えるだけで済む。その結果、引戸敷居の施工や取扱いが楽になり、作業の合理化を図ることができる。また、仕様変更や顧客の苦情に対しても迅速かつ適切に対処できるという効果がある。
【発明を実施するための最良の形態】
【００１９】
本発明の最良の実施形態を図面に基づいて説明する。尚、以下に述べる実施形態は本発明を具体化した一例に過ぎず、本発明の技術的範囲を限定するものでない。図１は本発明の一実施形態に係る引戸敷居の外観図、図２は引戸敷居を加工する態様を示す図であって、（ａ）は引戸敷居の正面図、（ｂ）は（ａ）の引戸敷居に長溝およびレールを設けた状態の正面図、（ｃ）は（ｂ）の引戸敷居の一部分を切除した状態の正面図である。
各図において、この実施形態に係る引戸敷居１は、矩形板状に形成された高耐水性の中密度木質繊維板（ＭＤＦ：エヌ・アンド・イー社製の商品：ＮＥＯボードＫＨＭ）２の上面２Ａに、合成樹脂製の化粧板材４が被せられ接着剤３により接着されている。化粧板材４はＡＡＳ樹脂（ＢＡＳＦジャパン社製の商品名：ルランＳ）を成型原料としてＭＤＦ２よりも薄肉の矩形板状に形成されている。ＭＤＦ２と化粧板材４の横幅はほぼ同じ寸法に設定されている。ＭＤＦ２および化粧板材４は丸鋸などの木工機具で容易に切断または切削される。
【００２０】
尚、ＭＤＦの耐水性の指標となる線膨潤率Ｇは，次のようにして計測した。まず、前記したＮＥＯボードＫＨＭに関する試験片を、それぞれ縦３００ｍｍ×横７５ｍｍ×高さ３０ｍｍの寸法で２つ作製した。これらの２つの試験片を、相対湿度５０±１％で温度２０±３℃に保持した恒湿容器内に収容して１時間放置したのち、縦寸法または横寸法を測定（１次計測）した。次に、相対湿度９７±３％で温度２０±３℃にした恒湿容器内に前記２つの試験片を収容して２４時間放置したのち、先ほど測定したときと同じ部位（縦寸法または横寸法）を測定（２次計測）した。線膨潤率Ｇは次式により算出した。「Ｇ（％）＝（２次計測値−１次計測値）×１００／１次計測値」。算出したＮＥＯボードＫＨＭ試験片の線膨潤率Ｇは０．５％であった。この値は一般的な中密度木質繊維板の線膨潤率（約１％以上）と比べると、かなり低く耐水性に富んでいることがわかる。
【００２１】
そして、ＭＤＦ２と化粧板材４の位置関係において、化粧板材４の一辺側４Ｂは、溝長手方向（１点鎖線Ｃに沿う方向）と直交する水平方向（矢印Ｈ方向と反対方向）にＭＤＦ２の一側面２Ｄから突出している。その結果、ＭＤＦ２の他辺側２Ｅが矢印Ｈ方向に化粧板材４の他側面４Ａから突出する。これらにより、突出した化粧板材４の一辺側が庇部５と成り、突出したＭＤＦ４の他辺側が庇受け部６と成っている。
【００２２】
ＭＤＦ２と化粧板材４との接着は、コニシボンド社製の湿気硬化型反応性ホットメルト接着剤（品名：ボンドＫＵＭ３１５０シリーズ（ポリウレタン系ホットメルト接着剤）、常温で固体）を用いた。例えば、前記接着剤を１１０℃に加熱して溶融させ、ロールコーターなどを用いてＭＤＦ２の上面２Ａまたは化粧板材４の下面に塗り付けたのち、直ちにＭＤＦ２と化粧板材４とをプレス機で圧着させた。前記接着剤は常温で固体であるために取り扱いが極めて楽であり、圧着後２秒間程度の短時間で強固に固化した。尚、ポリ酢酸ビニル系微粒子を水中に分散させたポリ酢酸ビニルエマルジョン系接着剤を用いることも可能であるが、その場合は完全固化までに約１０日間かかる。
【００２３】
上記のようにして、図１および図２（ａ）に示した引戸敷居１ができ上がる。引戸敷居１はこの構造のままで取引され施工現場で加工されることもある。その場合、ＭＤＦ２および化粧板材４の上面の任意の位置に、引戸１１（後出の図４参照）を案内するための長溝７が現場で形成される。従って、顧客のニーズに合わせて建築現場で施工することができる。
【００２４】
長溝７の刻設にあたっては、図２（ａ）に示したＭＤＦ２および化粧板材４の上面の１点鎖線７で示す部分が丸鋸などで切除される。これにより、図２（ｂ）および図３に示すように、長溝７がＭＤＦ２および化粧板材４の材長手方向に沿って形成される。そして、長溝７内にレール８が装入されて嵌着される。レール８の上面は引戸１１の車輪１２を走行させるためにＶ溝状に形成されている。このようにして、引戸敷居１Ａができ上がる。この引戸敷居１Ａは単独では使用されないが、後で詳述する組合せ引戸敷居Ｋ２，Ｋ３の一部として使用される。
【００２５】
そして、引戸敷居１ＡのＭＤＦ２の他辺側２Ｅに位置する切除予定部２Ｂを一辺側に向かって切除して幅狭のＭＤＦ２ａにすると、図２（ｃ）および図３に示すような引戸敷居１Ｂが出来上がる。この引戸敷居１Ｂでは、化粧板材４の他辺側がＭＤＦ２ａの切除端面（他側面）２Ｃから突出して、末端側庇部９を形成している。
【００２６】
上記した引戸敷居１，１Ａ，１Ｂにおいて、使用されるＭＤＦ２は入手が容易、安価であり寸法安定性に優れている。そして、このＭＤＦ２上面に被着されたＡＡＳ樹脂製の化粧板材４は安定して美観を呈し、長年の経時使用によっても見た目が悪くならず高級感を長期間保持することができる。従って、この引戸敷居１は経時使用によって見栄えを損なうことがなく、入手容易で安価に提供されることから施工や取扱いが容易になる。
【００２７】
また、上記した引戸敷居１Ａにおいては、化粧板材４の一辺側がＭＤＦ２の一側面から突出した庇部５として形成され、ＭＤＦ２の他辺側が化粧板材４の他側面から突出した庇受け部６として形成されているので、或る引戸敷居１Ａの庇受け部６に、別の引戸敷居１Ａまたは１Ｂの庇部５を重ね合わせて並べることができる。従って、個々の引戸敷居の上面に長溝７を形成することにより、複数本の長溝７，７，７，・・・を有する引戸敷居が提供される。
【００２８】
そこで、１枚の引戸１１用として用いる場合は、図４（ａ）に示すように、上記した引戸敷居１Ｂが使用される。すなわち、例えばマンションなどのコンクリート床上に配置された枠材１０，１０間に、引戸敷居１Ｂが敷設される。このとき、引戸敷居１Ｂの庇部５と末端側庇部９は枠材１０，１０の上面に支持される。そして、上方の鴨居（図示省略）との間に配置される引戸１１は、その車輪１２が引戸敷居１Ｂのレール８上に載置されて走行する。
【００２９】
一方、２枚の引戸１１，１１用として用いる場合は、図４（ｂ）に示すように、各１つの引戸敷居１Ａ，１Ｂが並べて使用される。この場合、引戸敷居１Ａの庇受け部６上に引戸敷居１Ｂの庇部５が重ね合わせられる。これにより、いわゆる溝２本引きの組合せ引戸敷居Ｋ２が組み上がる。
【００３０】
そして、３枚の引戸１１，１１，１１用として用いる場合は、図４（ｃ）に示すように、２つの引戸敷居１Ａと１つの引戸敷居１Ｂが並べて使用される。この場合、図面に向かって左側の引戸敷居１Ａの庇受け部６上に、次の引戸敷居１Ａの庇部５が重ね合わせられ、この引戸敷居１Ａの庇受け部６上に、引戸敷居１Ｂの庇部５が重ね合わせられる。これにより、いわゆる溝３本引きの組合せ引戸敷居Ｋ３が組み上がる。
更には、３つ以上の引戸敷居１Ａ，１Ａ，１Ａ，・・・と１つの引戸敷居１Ｂを用い、前側の引戸敷居１Ａの庇受け部６に、次の引戸敷居１Ａの庇部５を重ね合わせるように順次並列に並べて配置し、最後の引戸敷居１Ａの庇受け部６上に、引戸敷居１Ｂの庇部５を重ね合わせて配置することにより、いわゆる溝４本引き以上の組合せ引戸敷居を現地で組み立てることが可能となる。
【００３１】
上記した組合せ引戸敷居Ｋ２，Ｋ３，・・・によれば、長溝７がそれぞれ個別に形成された引戸敷居を複数並べて構成されるので、組合せ引戸敷居Ｋ２，Ｋ３，・・・の施工時や取扱い時にいずれかの引戸敷居１Ａ，１Ｂにキズが付いたとしても、敷居全体を取り替える必要はなく、キズの付いた引戸敷居のみを取り替えるだけで済む。その結果、引戸敷居の施工や取扱いが楽になり、作業の合理化を図ることができる。
従って、上記したように安価で施工や取扱いが容易な引戸敷居１，１Ａ，１Ｂ、および組合せ引戸敷居Ｋ２，Ｋ３，・・・は、マンションなどでの大量使用に好適となる。また、近年では顧客の要求が多様化しているが、それらに対して引戸敷居１，１Ａ，１Ｂは臨機応変に対応可能であり、例えば急な仕様変更や顧客の苦情に対しても迅速かつ適切に対処することができる。
【００３２】
尚、上記の実施形態では、ＭＤＦ２および化粧板材４に刻設した長溝７にレール８を装着し、レール８上で引戸１１の車輪１２を走行させるようにしたが、レールを省略して長溝７内で直に車輪１２を走行させるものも本発明に含まれる。
また、化粧板材の色が異なる引戸敷居を複数種用いて並べることにより、組合せ引戸敷居のカラーアレンジメントを楽しむこともできる。
【図面の簡単な説明】
【００３３】
【図１】本発明の一実施形態に係る引戸敷居の外観図である。
【図２】前記引戸敷居を加工する態様を示す図であって、（ａ）は前記引戸敷居の正面図、（ｂ）は（ａ）の引戸敷居に長溝およびレールを設けた状態の正面図、（ｃ）は（ｂ）の引戸敷居の一部分を切除した状態の正面図である。
【図３】図２（ｃ）に示した引戸敷居の外観図である。
【図４】引戸敷居の施工例を示す図であって、（ａ）は図２（ｃ）に示した引戸敷居１つを敷設した状態を示す部分正面図、（ｂ）は図２（ｂ）の引戸敷居１つと図２（ｃ）の引戸敷居１つを並べて敷設した状態を示す部分正面図、（ｃ）は図２（ｂ）の引戸敷居２つと図２（ｃ）の引戸敷居１つを並べて敷設した状態を示す部分正面図である。
【図５】上面に３組の長溝およびレールを設けた従来の引戸敷居を示す外観図である。
【図６】前記従来の引戸敷居を示す図であって、（ａ）は敷居本体の表面に塗膜を施した引戸敷居の正面図、（ｂ）は図５に対応する正面図である。
【符号の説明】
【００３４】
１，１Ａ，１Ｂ  引戸敷居
２，２ａ  中密度木質繊維板（ＭＤＦ）
２Ａ  上面
２Ｂ  切除予定部
２Ｃ  切除端面（他側面）
２Ｄ  一側面
２Ｅ  他辺側
３    接着剤
４    化粧板材
４Ａ  他側面
４Ｂ  一辺側
５    庇部
６    庇受け部
７    長溝
９    末端側庇部
１１  引戸
Ｃ    １点鎖線
Ｈ    矢印
Ｋ２，Ｋ３  組合せ引戸敷居
【図１】
2009270371.tif 000003
【図２】
2009270371.tif 000004
【図３】
2009270371.tif 000005
【図４】
2009270371.tif 000006
【図５】
2009270371.tif 000007
【図６】
2009270371.tif 000008